(57)【要約】【課題】照明制御装置において、照明光の色温度と調光レベルとを独立して操作できるようにし、しかも、耐久性を向上し、防水性の要求される環境での使用に適したものとする。【解決手段】照明制御装置３は、ユーザの手Ｈ１等の指示体までの距離をそれぞれ測定する調色用測距センサ４及び調光用測距センサ５を備える。照明制御装置３は、調光用測距センサ５による測定距離Ｌに応じて照明光の調光レベルを制御し、測定距離Ｌと調色用測距センサ４の測定距離（Ｌ＋Δｌ）との差Δｌに応じて照明光の色温度を制御する。手Ｈ１と調色用測距センサ４及び調光用測距センサ５との距離を変更することにより、照明光の色温度と光量とを独立して操作できる。しかも、非接触で操作でき、従って、操作に因る機械的な劣化を防止でき、また、濡れた手で操作される場合でも装置が濡れずに済む。【選択図】図３
2013258066.tif 000002
【特許請求の範囲】
【請求項１】
照明器具から放射される照明光の色温度及び光量を制御する照明制御装置において、
前記照明光の色温度及び光量の操作を指示する指示体までの距離をそれぞれ測定する第１の測距センサ及び第２の測距センサを備え、
前記第１の測距センサ及び前記第２の測距センサの各々による測定距離のうち、一方の測定距離に応じて前記照明光の色温度及び光量のうちの一方を制御し、一方の測定距離と他方の測定距離との差に応じて前記照明光の色温度及び光量のうちの他方を制御することを特徴とする照明制御装置。
【請求項２】
熱感知センサをさらに備え、
前記熱感知センサにより、発熱する指示体が感知されるときに前記第１の測距センサ及び前記第２の測距センサを動作状態とし、前記熱感知センサにより指示体が感知されないときに前記第１の測距センサ及び前記第２の測距センサを動作停止状態とすることを特徴とする請求項１に記載の照明制御装置。
【請求項３】
前記第１の測距センサ及び前記第２の測距センサが動作状態であるときに点灯し、それらの測距センサが動作停止状態であるときに消灯するランプをさらに備えることを特徴とする請求項２に記載の照明制御装置。
【発明の詳細な説明】
【技術分野】
【０００１】
本発明は、ユーザ操作に基づいて照明器具による照明光の色温度及び光量を制御する照明制御装置に関する。
【背景技術】
【０００２】
従来から、透過型スクリーンにその背面から光源の光を照射し、画像を表示する表示装置において、光源による照射光の色温度及び光量が互いに異なる画像表示モードと照明モードとを切替え可能なものが知られている。この表示装置では、画像表示モード時には、照射光が白色とされて透過型スクリーンに画像が表示され、照明モード時には、照射光が電球色又は昼光色とされ、照射光の光量が画像表示モード時よりも多くなるように制御される。そして、表示装置から人間までの距離が人感センサにより検出され、その検出された距離が閾値よりも短いとき、動作モードが画像表示モードから照明モードに切り替わる（例えば、特許文献１参照）。
【０００３】
上記表示装置では、人間が表示装置に近づくだけで、照射光の色温度及び光量を変更することができ、従って、その変更のために機械的な操作ボタン等を設ける必要がなく、耐久性が向上する。しかしながら、上記表示装置の構成を照明制御装置に適用した場合、照明環境に応じた所望の色温度及び光量の照明光を得ようとしても、照明光の色温度と光量とを独立して変更することができないので、所望の照明光を得られないことがある。
【０００４】
一方、照明制御装置において、照明器具から放射される照明光の色温度変更操作用ボタンと、照明光の光量変更操作用ボタンとを備えたものが知られている（例えば、特許文献２参照）。この照明制御装置では、各ボタンは機械的なボタンであり、各ボタンを操作することにより、照明光の色温度と光量とを個別に変更することが可能になる。
【先行技術文献】
【特許文献】
【０００５】
【特許文献１】特開２０１１−２４９９７６号公報
【特許文献２】特開２００９−２５９４９７号公報
【発明の概要】
【発明が解決しようとする課題】
【０００６】
しかしながら、特許文献２に記載されるような照明制御装置では、各ボタンが機械的なものであることから、操作が繰り返されると、疲労及び摩擦等に起因して各ボタンが機械的に劣化し、耐久性が低下する虞がある。また、屋外又は飲食店等に設置される場合、濡れた手で各ボタンが操作される可能性があり、水の浸入に因り故障する確率が高くなる。そのため、上記照明制御装置は、防水性の要求される環境での使用に適していない。
【０００７】
本発明は、上記の従来の問題を解決するためになされたものであり、照明光の色温度と光量とを独立して操作でき、しかも、耐久性を向上でき、防水性の要求される環境での使用に適した照明制御装置を提供することを目的とする。
【課題を解決するための手段】
【０００８】
上記目的を達成するために本発明の照明制御装置は、照明器具から放射される照明光の色温度及び光量を制御する照明制御装置において、前記照明光の色温度及び光量の操作を指示する指示体までの距離をそれぞれ測定する第１の測距センサ及び第２の測距センサを備え、前記第１の測距センサ及び前記第２の測距センサの各々による測定距離のうち、一方の測定距離に応じて前記照明光の色温度及び光量のうちの一方を制御し、一方の測定距離と他方の測定距離との差に応じて前記照明光の色温度及び光量のうちの他方を制御することを特徴とする。
【０００９】
熱感知センサをさらに備え、前記熱感知センサにより、発熱する指示体が感知されるときに前記第１の測距センサ及び前記第２の測距センサを動作状態とし、前記熱感知センサにより指示体が感知されないときに前記第１の測距センサ及び前記第２の測距センサを動作停止状態とすることが好ましい。
【００１０】
前記第１の測距センサ及び前記第２の測距センサが動作状態であるときに点灯し、それらの測距センサが動作停止状態であるときに消灯するランプをさらに備えることが好ましい。
【発明の効果】
【００１１】
本発明によれば、第１の測距センサ及び第２の測距センサと指示体（例えばユーザの手）との距離を変更することにより、照明光の色温度と光量とを独立して操作できる。しかも、非接触で操作でき、従って、耐久性を向上でき、また、防水性の要求される環境での使用に適したものになる。
【図面の簡単な説明】
【００１２】
【図１】（ａ）は本発明の一実施形態に係る照明制御装置を備えた照明システムの施行例を示す一点透視図、（ｂ）は上記照明システムの構成を示す電気的ブロック図。
【図２】上記照明制御装置及びそれにより制御される照明器具の構成を示す電気的ブロック図。
【図３】（ａ）は上記照明制御装置の側面図、（ｂ）はその正面図。
【図４】（ａ）（ｂ）は上記照明制御装置の使用時の処理を説明するための側面図。
【図５】上記実施形態の一変形例に係る照明制御装置を備えた照明システムの構成を示す電気的ブロック図。
【図６】上記照明制御装置の正面図。
【図７】上記照明制御装置の使用開始時の処理を説明するための側面図。
【図８】上記とは別の変形例に係る照明制御装置の状態表示ランプの構成を示す電気的ブロック図。
【発明を実施するための形態】
【００１３】
本発明の一実施形態に係る照明制御装置について図面を参照して説明する。図１（ａ）（ｂ）は、本実施形態の照明制御装置を備えた照明システム１００の構成を示す。この照明システム１００は、照明器具１Ａ〜１Ｄ（以下、照明器具１と総称）と、照明器具１に信号線２を介して接続され、照明器具１から放射される照明光（以下、単に照明光という）の調色調光制御を行う本実施形態の照明制御装置３とを備える。不図示であるが、照明システム１００は、電源から照明器具１への給電を入切して照明器具１の点消灯操作をするための電源スイッチをさらに備える。照明器具１は、照明光の色温度及び調光レベルを調整可能な構成であり、図示された数に限定されない。照明制御装置３は、ユーザ操作に基づいて照明光の色温度及び調光レベルを制御する。調光レベルとは、照明器具１の定格最大光量に対する光量の比率であり、以下の説明では、その比率を百分率で表す。照明制御装置３は、例えば、壁面Ｗ１に設置される。上記電源スイッチは、照明制御装置３とは別体に設けられ、例えば照明制御装置３と同様に壁面Ｗ１に配置される。
【００１４】
図２は、照明器具１Ａ及び照明制御装置３の電気的構成を示す。ここでは、各照明器具１の構成は、互いに同等であることから、それらを代表して、照明器具１Ａの構成についてのみ説明する。照明器具１Ａは、光源１１と、光源１１を点灯させ、光源１１による放射光の色温度及び光量を調整する点灯回路１２と、照明制御装置３の送信回路８から送信される調色調光信号を受信する受信回路１３と、制御回路１４とを備える。制御回路１４は、受信回路１３により受信された調色調光信号に基づき、点灯回路１２を用いて光源１１の調色調光制御を行う。
【００１５】
照明制御装置３の構成については、図２に加えて、図３（ａ）（ｂ）を参照して説明する。図２及び図３（ａ）に示されるように、照明制御装置３は、照明光の色温度及び調光レベルの操作を指示する指示体までの距離をそれぞれ測定する調色用測距センサ４（第１の測距センサ）及び調光用測距センサ５（第２の測距センサ）を備える。本実施形態では、上記指示体として、ユーザの手Ｈ１が用いられることを想定している。以下、調色用測距センサ４及び調光用測距センサ５を、調色用測距センサ４等と総称する。
【００１６】
また、照明制御装置３は、調色用測距センサ４等が動作状態であるか否かを表示する状態表示ランプ６と、調色用測距センサ４等による測定距離に基づいて照明光の色温度及び調光レベルを制御する制御回路７と、送信回路８と備える。送信回路８は、制御回路７により上記制御のために生成される調色調光信号を照明器具１に送信する。図３（ａ）に示す筐体９については後述する。
【００１７】
調色用測距センサ４等は、それぞれ、アクティブタイプの測距センサであって、赤外線（破線で示す）を送信し、手Ｈ１により反射した赤外線を受信し、三角法により調色用測距センサ４等から手Ｈ１までの距離を測定する。調色用測距センサ４等は、その測定距離を示す測距信号を制御回路７に出力する。その出力方式は、アナログ式であっても、デジタル式であってもよい。
【００１８】
状態表示ランプ６は、調色用測距センサ４等が動作状態であるときに点灯し、調色用測距センサ４等が動作停止状態であるときに消灯する。状態表示ランプ６は、ＬＥＤ等により構成される。
【００１９】
制御回路７は、調色用測距センサ４等からの測距信号に基づいて調色用測距センサ４等による測定距離を求める。調光用測距センサ５による測定距離Ｌが予め設定された調光レベル設定範囲内にあるとき、制御回路７は測定距離Ｌに応じて照明光の調光レベルを制御し、測定距離Ｌと調色用測距センサ４による測定距離（Ｌ＋Δｌ）との差Δｌに応じて照明光の色温度を制御する。
【００２０】
調光レベル設定範囲の下限値（最短値）は、０［％］の調光レベルと対応付けられ、調光レベル設定範囲の上限値（最長値）は、１００［％］の調光レベルと対応付けられている。制御回路７は、測定距離Ｌが調光レベル設定範囲内で長くなるほど、調光レベルを０（消灯）〜１００［％］の範囲内で高くする。
【００２１】
制御回路７は、差Δｌが略０であるとき、照明光の色温度を、設定可能な範囲の中心値（例えば５０００［Ｋ］）とする。制御回路７は、差Δｌが予め設定された色温度設定範囲内で正の値であるとき、照明光の色温度を上記中心値よりも上昇させ、差Δｌが色温度設定範囲内で負の値であるとき、照明光の色温度を上記中心値よりも低下させる。制御回路７は、測定距離Ｌと差Δｌとに応じて、照明光の調光レベルと色温度とをそれぞれ連続的に変化させてもよいし、段階的に変化させてもよい。
【００２２】
上記調光レベル設定範囲の設定について説明する。上記設定は、ユーザが手Ｈ１を調色用測距センサ４等にかざし、指Ｈ２を調色用測距センサ４と対面させ、掌Ｈ３を調光用測距センサ５と対面させて、照明光の色温度及び調光レベルを操作する場合を想定している。ここで、調色用測距センサ４等の各々の測距可能な範囲が互いに同じであるとする（例えば、４〜３０［ｃｍ］）。
【００２３】
仮に、調光レベル設定範囲の下限値が、調光用測距センサ５による測距可能な範囲の下限値と等しくなるように設定され、掌Ｈ３がその下限値に対応する位置にあるとする。その場合、指Ｈ２を動かして、指Ｈ２を掌Ｈ３よりも調色用測距センサ４に近づけたとしても、指Ｈ２は調色用測距センサ４による測距可能な範囲外に位置することになる。従って、調色用測距センサ４は指Ｈ２までの距離を測定することができず、それ以上、色温度を下げることができない。そのため、色温度の設定可能な範囲が実質的に制限されて狭くなってしまう。そこで、調光用測距センサ５による測距可能な範囲の下限値（例えば４［ｃｍ）］に、色温度設定範囲（例えば１０［ｃｍ］）の半分の長さ（例えば５［ｃｍ］）を足した距離（例えば９［ｃｍ］）を、調光レベル設定範囲の下限値に設定する。
【００２４】
また、仮に、調光レベル設定範囲の上限値が、調光用測距センサ５による測距可能な範囲の上限値と等しくなるように設定され、掌Ｈ３がその上限値に対応する位置にあるとする。その場合、指Ｈ２を動かして、指Ｈ２を掌Ｈ３よりも調色用測距センサ４から遠ざけたとしても、指Ｈ２は調色用測距センサ４による測距可能な範囲外に位置することになる。従って、調色用測距センサ４は指Ｈ２までの距離を測定することができず、それ以上、色温度を上げることができない。そのため、色温度の設定可能な範囲が実質的に制限されて狭くなってしまう。そこで、調光用測距センサ５による測距可能な範囲の上限値（例えば３０［ｃｍ］）から、色温度設定範囲（例えば１０［ｃｍ］）の半分の長さ（例えば５［ｃｍ］）を減じた距離（例えば２５［ｃｍ］）を、調光レベル設定範囲の上限値に設定する。
【００２５】
制御回路７は、測定距離Ｌと調光レベルとを対応付け、また、差Δｌと色温度とを対応付けた制御テーブルが予め格納されたメモリ７１を有する。調色用測距センサ４等により距離が測定されるとき、制御回路７は、それらの結果から測定距離Ｌと差Δｌとを求め、上記制御テーブルを参照し、測定距離Ｌに対応する調光レベルと、差Δｌに対応する色温度とを目標値に設定する。そして、制御回路７は、照明光の色温度及び調光レベルを、設定した色温度及び調光レベルと一致させるように照明器具１に指示するための調色調光信号を生成する。
【００２６】
ところで、調色用測距センサ４等の各々は、アクティブタイプであることから、それらの両方が常時、動作していると消費電力が増えてしまう。そこで、本実施形態では、調光用測距センサ５だけが常時、動作状態にあり、調光用測距センサ５による測定距離Ｌが調光レベル設定範囲内にあるとき、制御回路７が、調色用測距センサ４を動作状態に切り替えるものとする。そして、調色用測距センサ４によりユーザの手Ｈ１の存在が所定期間、検出されないとき、制御回路７は、調色用測距センサ４を動作停止状態に切り替えるものとする。
【００２７】
送信回路８は、制御回路７により生成された調色調光信号を、照明器具１との通信方式に応じて、例えば、ＰＷＭ信号、又はシリアル通信におけるＤＡＬＩ規格若しくはＤＭＸ規格に準拠したデジタル信号に変換し、その後、照明器具１に送信する。制御回路７及び送信回路８は、共通のマイクロプロセッサにより構成されていることが望ましいが、それぞれ、独立したマイクロプロセッサにより構成されていてもよい。
【００２８】
図３（ｂ）に示されるように、照明制御装置３は、調色用測距センサ４等及び状態表示ランプ６を収容する筐体９を備える。調色用測距センサ４等及び状態表示ランプ６は、筐体９の前面に露出するように配置されている。調色用測距センサ４等は、調色用測距センサ４が調光用測距センサ５よりも上方に位置するように縦一列に配置されている。調色用測距センサ４等の互いの間隔は、ユーザが片手で調色用測距センサ４等を覆うことが可能な寸法に設定されている。
【００２９】
次に、照明制御装置３の使用時の動作について説明する。図４（ａ）（ｂ）は、ユーザが手Ｈ１を照明制御装置３にかざし、その状態で手Ｈ１の傾きを変更したときの様子を示す。ここで、照明器具１が点灯しており、調色用測距センサ４が動作停止状態であって、状態表示ランプ６が消灯しているとする。
【００３０】
図４（ａ）に示されるように、その状態で、ユーザが手Ｈ１を調色用測距センサ４等にかざし、調光用測距センサ５による手Ｈ１までの測定距離Ｌが調光レベル設定範囲内にあったとする。その場合、調色用測距センサ４が動作状態になり、状態表示ランプ６が点灯し、制御回路７は照明光の制御処理を開始する。
【００３１】
ここで、ユーザが指Ｈ２を調色用測距センサ４に対面させ、掌Ｈ３を調光用測距センサ５に対面させていたとする。そして、調色用測距センサ４による指Ｈ２から測定距離（Ｌ＋Δｌ）と、調光用測距センサ５による掌Ｈ３までの測定距離Ｌとの差ΔｌがΔｌ１であったとする。この場合、制御回路７は、測定距離Ｌに応じて照明光の調光レベルを制御し、差Δｌ１に応じて照明光の色温度を制御する。
【００３２】
その後、図４（ｂ）に示されるように、例えば、ユーザが、掌Ｈ３の位置をそのままにして、指Ｈ２を調色用測距センサ４に近づけ、上記の差ΔｌがΔｌ２（Δｌ２＜Δｌ１）になったとする。その場合、制御回路７は、差Δｌ２に応じて照明光の色温度を低下させる。不図示であるが、手Ｈ１が、調光レベル設定範囲の下限値に対応する位置にあると、測定距離Ｌは０になることから、制御回路７は、照明光の調光レベルを０［％］とする。
【００３３】
手Ｈ１が調色用測距センサ４等の前方から除かれ、調光用測距センサ５が手Ｈ１の存在を検出できなくなり、その状態で所定期間が経過したとする。その場合、調色用測距センサ４は動作停止状態になり、状態表示ランプ６は消灯し、制御回路７は照明光の制御処理を終了する。このようにして制御処理を終了させる場合、手Ｈ１を筐体９の前面と略平行にスライドさせ、手Ｈ１と調色用測距センサ４等との間の距離を変えないようにすると、手Ｈ１の動きに応じて照明光の色温度及び調光レベルが変動することはない。従って、色温度及び調光レベルを所望の値に設定したままで、制御処理を終了させることができる。
【００３４】
本実施形態において、ユーザが手Ｈ１を調色用測距センサ４等にかざし、指Ｈ２を調色用測距センサ４と対面させ、掌Ｈ３を調光用測距センサ５と対面させたとする。その場合、掌Ｈ３を調光用測距センサ５に近づけたり、調光用測距センサ５から遠ざけたりして、調光用測距センサ５による掌Ｈ３までの測定距離Ｌを変更することにより、照明光の調光レベルを操作することができる。また、指Ｈ２を調色用測距センサ４に近づけたり、調色用測距センサ４から遠ざけたりして、調色用測距センサ４による指Ｈ２までの測定距離（Ｌ＋Δｌ）を変更することにより、色温度を操作することができる。従って、色温度と調光レベルとを独立して操作することができる。
【００３５】
また、色温度と調光レベルとを非接触で操作することが可能になる。従って、操作が繰り返されたとしても、機械式の操作ボタンの場合のように疲労及び摩擦等に起因して機械的に劣化することはなく、耐久性を向上することができる。また、防水性の要求される環境、例えば屋外又は飲食店等で使用され、濡れた手で操作される場合でも、操作のために照明制御装置３に触れる必要がなくなり、照明制御装置３が濡れずに済む。そのため、水等の浸入に因る故障を防ぐことができ、信頼性を向上することができる。
【００３６】
また、色温度は、測定距離（Ｌ＋Δｌ）と測定距離Ｌとの差Δｌに基づいて制御されることから、手首を軽く曲げてΔｌを変更するだけで、色温度を操作することができる。また、状態表示ランプ６の点灯又は消灯により、調色用測距センサ４等が動作状態にあるか否かをユーザが視認することができ、従って、調色用測距センサ４等を用いた操作がし易くなり、使い勝手がよくなる。
【００３７】
次に、上記実施形態の一変形例に係る照明制御装置について図面を参照して説明する。図５は本変形例の照明制御装置３を備えた照明システム１００の電気的構成を示し、図６は本変形例の照明制御装置３の構成を示す。この照明制御装置３は、熱感知センサ１０をさらに備える。熱感知センサ１０は、筐体９の前面に露出するように配置されており（図６参照）、サーモパイル等の熱感知素子により構成され、その駆動方式はパッシブタイプである。
【００３８】
図７は、ユーザが手Ｈ１を筐体９の前面にかざしたときの状態を示す。このとき、熱感知センサ１０は、手Ｈ１の存在を感知する。制御回路７は、熱感知センサ１０により、ユーザの手Ｈ１（発熱する指示体）の存在が感知されるときに調色用測距センサ４等を動作状態とし、調色用測距センサ４等による測定距離に基づいて照明光の色温度及び調光レベルを制御する。制御回路７は、熱感知センサ１０により手Ｈ１の存在が所定期間、感知されないと、調色用測距センサ４等を動作停止状態とし、照明光の色温度及び調光レベルの制御を停止する。
【００３９】
本変形例においては、ユーザの手Ｈ１等の発熱する指示体が熱感知センサ１０により感知されるときだけ、調色用測距センサ４等が動作状態になる。従って、上記実施形態のように調光用測距センサ５が常時動作する場合と比べて、調光用測距センサ５による消費電力を減らすことができ、装置全体の消費電力を削減することができる。
【００４０】
なお、本発明は、上記の実施形態及び変形例の構成に限定されるものでなく、使用目的に応じ、様々な変形が可能である。例えば、照明制御装置３は、壁に埋め込まれる埋め込み式の照明操作器に適用されてもよい。また、照明制御装置３は、照明器具１に電波又は赤外線等の無線信号を送信し、その無線信号を用いて照明器具１を制御するリモートコントローラに適用されてもよいし、スタンド式等の照明器具１と一体的に設けられていてもよい。また、照明制御装置３は、調色用測距センサ４等の動作状態と動作停止状態とを手動で切り替えるための機械式の操作スイッチを備えていても構わない。また、照明制御装置３は、照明器具１の点消灯操作をするための電源スイッチと一体的に形成されていてもよい。その場合、電源スイッチは、防水のため、その操作部分が、筐体９に埋め込まれ、弾性のある樹脂カバーで覆われ、その樹脂カバーの上から操作できることが望ましい。
【００４１】
また、制御回路７は、調色用測距センサ４による測定距離に応じて照明光の色温度を制御し、その測定距離と調光用測距センサ５による測定距離との差に応じて照明光の光量を制御してもよい。
【００４２】
また、指Ｈ２及び掌Ｈ３を用いた照明光の色温度及び光量の調整中に、所定の保持期間だけ、指Ｈ２及び掌Ｈ３が殆んど動かされず、測定距離Ｌ及び差Δｌの各々の変化量又は変化率が予め設定された範囲内にあったとする。その場合、制御回路７は、測定距離Ｌ及び差Δｌにそれぞれ対応する色温度及び調光レベルの情報をメモリ７１に記憶してもよい。そして、制御回路７は、ユーザによる電源スイッチを用いた照明器具１への操作を検出可能な構成とされ、照明器具１の消灯後に照明器具１への点灯操作を検出したとき、メモリ７１を参照し、記憶していた色温度及び調光レベルで照明器具１を点灯させてもよい。この構成によれば、照明器具１を点灯させる度に、照明光の色温度及び光量を設定する必要がなくなり、利便性がよくなる。
【００４３】
また、図８に示されるように、状態表示ランプ６は、赤色ＬＥＤ６１、緑色ＬＥＤ６２及び青色ＬＥＤ６３により構成され、ユーザ操作により設定される照明光の色温度及び調光レベルを、それらのＬＥＤの合成光により再現してもよい。その場合、制御回路７が、各色ＬＥＤへの供給電流をＰＷＭ制御し、その供給電流のオンデューティ比を、上記再現が可能な比率とする。この構成によれば、照明光の色温度及び調光レベルを設定する際、照明制御装置３の方向を向いたまま、状態表示ランプ６の光から照明光の現在の色温度及び調光レベルを確認できる。従って、わざわざ照明器具１の方を向いて照明光の色温度及び調光レベルを確認する必要がなくなり、設定作業が簡単になる。
【００４４】
また、状態表示ランプ６は、発光色が互いに異なる２種類のＬＥＤにより構成され、調色用測距センサ４等が動作状態であるか、又は動作停止状態であるかに応じて、制御回路７は、点灯させるＬＥＤを種類毎に切り替えてもよい。その場合、図８に示すように照明光の色温度及び調光レベルを再現するＬＥＤを、状態表示ランプ６とは別体に備えることが望ましい。
【００４５】
また、上記変形例において、制御回路７が、照明光の調光レベルを０［％］とし、そのままの状態で、照明光の制御処理を終了したとする。その場合、その終了後に熱感知センサ１０が手Ｈ１の存在を感知したとき、制御回路７は、調色用測距センサ４等による測定距離に関わらず、所定の仮設定期間だけ、例えば１００［％］の調光レベルで照明器具１を点灯させてもよい。この構成によれば、照明光の調光レベルを０［％］に設定した後、照明器具１をとりあえず点灯させたいときに、手Ｈ１を熱感知センサ１０に感知させるだけで、照明器具１を素早く点灯させることができる。
【符号の説明】
【００４６】
１  照明制御装置
２  照明器具
４  調色用測距センサ（第１の測距センサ）
５  調光用測距センサ（第２の測距センサ）
６  状態表示ランプ
１０  熱感知センサ
Ｈ１  ユーザの手（指示体）
【図１】
2013258066.tif 000003
【図２】
2013258066.tif 000004
【図３】
2013258066.tif 000005
【図４】
2013258066.tif 000006
【図５】
2013258066.tif 000007
【図６】
2013258066.tif 000008
【図７】
2013258066.tif 000009
【図８】
2013258066.tif 000010